(57)【要約】【課題】屋外用鯉のぼりセットであって、穴を掘れる地面が確保できない場所でも無理なく安定的に支柱を立てられ、かつ補助に用いるロープと支柱の連結部分が強固で、使用後は錘の袋体がスペースを取らずに収納できる構成の屋外用鯉のぼりセットを開発する。【解決手段】支柱が直角三角形状のトラスをなす支柱支持枠に垂直に固着され、支柱支持枠の支持板に錘袋を載置し、支柱の中間部分の支柱固定環の本体に穿設された固定索用孔に固定索で錘袋を固着し、錘袋は使用後に平面状に折畳めるように構成されている屋外用鯉のぼりセットを提供する。【選択図】図１
0003165157.tif 000002
【実用新案登録請求の範囲】
【請求項１】
屋外用鯉のぼりセットであって、支柱が地面に埋設されることなく支柱支持枠に固着される構成で、支柱支持枠は支柱が固着される垂直の主枠と主枠を斜向して支える補助枠と主枠と補助枠の開度を固定する地面に載置される支持板を有しており、主枠と支持板が直角を成すことによって主枠と補助枠と支持板が直角三角形状のトラスを構成する支柱支持枠により支柱が地面に対して垂直に立設固定され、支柱支持枠の支持板に液体あるいは粉体を充填した錘袋を載置することにより支柱支持枠全体を地面に固定する構成であり、さらに支柱の中間部分に設けられた支柱固定環の本体に穿設された固定索用孔に固着された支柱固定索の端部に液体あるいは粉体を充填した錘袋を着脱自在に固着することにより支柱の固定状態をさらに安定させる構成であり、支柱支持枠の支持板に載置された錘袋及び支柱固定索の端部に着脱自在に固着された錘袋は充填された液体あるいは粉体を排出した状態で、収納ケースの限られたスペースに収容できるように全体が薄い平面状に折畳めるように構成されていることを特徴とする屋外用鯉のぼりセット。
【考案の詳細な説明】
【技術分野】
【０００１】
本考案は、住宅や施設等の屋外の地面やコンクリート面や芝生面、さらには屋上等に設置する屋外用鯉のぼりセットに関するものであり、さらに詳しくは、以下の構成の屋外用鯉のぼりセットに関するものである。
＜構成１＞
屋外用鯉のぼりセットであって、支柱が地面に埋設されることなく支柱支持枠に固着される構成で、支柱支持枠は支柱が固着される垂直の主枠と主枠を斜向して支える補助枠と主枠と補助枠の開度を固定する地面に載置される支持板を有しており、主枠と支持板が直角を成すことによって主枠と補助枠と支持板が直角三角形状のトラスを構成する支柱支持枠により支柱が地面に対して垂直に立設固定され、支柱支持枠の支持板に液体あるいは粉体を充填した錘袋を載置することにより支柱支持枠全体を地面に固定する構成であり、さらに支柱の中間部分に設けられた支柱固定環の本体に穿設された固定索用孔に固着された支柱固定索の端部に液体あるいは粉体を充填した錘袋を着脱自在に固着することにより支柱の固定状態をさらに安定させる構成であり、支柱支持枠の支持板に載置された錘袋及び支柱固定索の端部に着脱自在に固着された錘袋は充填された液体あるいは粉体を排出した状態で、収納ケースの限られたスペースに収容できるように全体が薄い平面状に折畳めるように構成されていることを特徴とする屋外用鯉のぼりセット。
【背景技術】
【０００２】
古来から、鯉のぼりは基本的に屋外に建てられるものであり、地面を掘って支柱を建て、その支柱に縄を結んで鯉のぼり（吹流しと大・中・小の３匹の鯉）を装着し、支柱先端には矢車セットと籠玉を取り付けるのが基本的なスタイルであった。支柱を高くできる場合には、鯉を５匹とする場合も見られたが、いずれにせよ、支柱は基本的に地面を掘って埋設して建てられるのが通常であった。鯉のぼりの吹流しや鯉にはかなりの風圧がかかるので、支柱は地面をある程度の深さに掘って固定しないと倒れてしまう。支柱の高さが高くなればなるほど深く地面を掘って安定的に支柱を固定する必要があった。
【０００３】
しかしながら、近年、アパートやマンションに暮らす家庭の増加と共に、アパートやマンションのベランダにも建てることができる鯉のぼりセットが求められるようになってきた。アパートやマンションのベランダは多くはコンクリート製であり、穴を掘るわけにはいかないので、載置固定するだけで支柱が自立するような構成が求められる。下記特許文献２の「鯉のぼりスタンド」は、そのような要請による考案の一例である。この考案にては、支柱を支える「ポール支持管」が斜向されているが、これは、ベランダからせり出して鯉のぼりを泳がせるための工夫である。
【０００４】
また、「鯉のぼりスタンド」の「ベース」（平面板）には水袋が載置されるが、これは「鯉のぼりスタンド」を安定させるための錘の役割を果たしている。しかしながら、このタイプの鯉のぼりは、支柱の長さに限界があった。すなわち、支柱が余り長くなりすぎると上階の住民に影響を与える怖れがあるのと、もう一つは受ける風圧が大きくなり、「鯉のぼりスタンド」の安定性が失われるからである。すなわち、「水袋」の重量で安定させているだけなので、地面を掘って支柱を建てる場合のように支柱を長くできない。「水袋」を大きくすれば安定度は増すわけであるが、ベランダというスペース上の制限がある上に、「ポール支持管」が斜向されているので、これが邪魔になってさらに「水袋」のサイズが制限されてしまう。そして、さらには、「水袋」がポリタンクのようなものの場合には、使用後の収納に場所を取るという難点もあった。
【０００５】
アパートやマンションで鯉のぼりを建てる場合には、このような構成のものが多く使用されていたが、一戸建て住宅においては、やはり昔ながらの地面を掘って支柱を建てる方式がよく使われていた。しかしながら、最近建てられる住宅においては、庭が狭くなる傾向にあり、しかも土の露出した部分が狭められる傾向にある。すなわち、限られた庭部分を客用ガレージなどに用いる場合にはコンクリートやアスファルト、敷石などで舗装される場合が多く、穴を掘って鯉のぼりの支柱を建てることができるスペースがなくなりつつあるのが現状である。また、鉄筋コンクリートや鉄骨造の建築物の屋上などは地面がないので元々穴を掘るということができない。
【０００６】
下記特許文献１に示す「鯉のぼり用伸縮ポール」は、地面にあまり深い穴を掘ることができない場合のためも考えて発明されたもので、支柱の埋設部分がスクリュー状になっていて、浅い穴でも安定性が増すように工夫されている。また、さらに安定性を増すために、支柱の中間に「中間固定リング」を設けて、ここからワイヤーを地面に向けて張り、ワイヤーの先端に杭を設け、その杭を地面に打ちこんで安定性の強化を図っている。
【０００７】
たしかにこのようにすれば、支柱を建てる穴が浅くても安定性は増すかもしれない。しかしながら、支柱を建てることのできる地面が全く残されていない場合にはこの方法は使えないし、また、「中間固定リング」から張られたワイヤーの先端に杭を設けて地面に打ちこむということになっているので、結局はかなりの面積にわたって「掘ることができる地面」が必要となってしまう。
【０００８】
また、下記特許文献１の発明においては、「中間固定リング」からさらに「複数凸部」を突出させてその部分に「ワイヤー取付孔」を穿設し、そこにワイヤーを結ぶようにしているが、このような構成の場合、一方向のワイヤーに強い力がかかると、「複数凸部」が変形したり、場合によっては「中間固定リング」から切断される危険もないとはいえない。
【先行技術文献】
【特許文献】
【０００９】
【特許文献１】特開２０００−２３７０３２号公報
【特許文献２】実用新案登録第３１２４００４号公報
【考案の概要】
【考案が解決しようとする課題】
【００１０】
上記より、本考案が解決しようとする課題は、次のとおりとなる。すなわち、住宅や施設等の屋外の地面やコンクリート面や芝生面や屋上等に設置する屋外用鯉のぼりセットであって、支柱を建てるための穴を掘ることのできる地面や補助のワイヤー（ロープ）の杭を固定するための穴を掘ることのできる地面が確保できない敷地においても無理なく安定的に支柱を立てることが可能で、かつ補助にワイヤーやロープ等を用いる場合にても、支柱とワイヤーやロープ等の連結部分が変形や破断がない強固な構造になっており、さらに錘として水袋のような液体や粉体を封入した袋体を用いる場合でも、できるだけ大きなサイズの袋体を載置できる構造であり、さらに、使用が終わればスペースを取らずに収納できる構成の袋体を用いている屋外用鯉のぼりセットを開発する。
【課題を解決するための手段】
【００１１】
本考案は、上記課題を解決するためになされたものであり、以下に示す解決手段を提供する。
＜解決手段１＞
屋外用鯉のぼりセットであって、支柱が地面に埋設されることなく支柱支持枠に固着される構成で、支柱支持枠は支柱が固着される垂直の主枠と主枠を斜向して支える補助枠と主枠と補助枠の開度を固定する地面に載置される支持板を有しており、主枠と支持板が直角を成すことによって主枠と補助枠と支持板が直角三角形状のトラスを構成する支柱支持枠により支柱が地面に対して垂直に立設固定され、支柱支持枠の支持板に液体あるいは粉体を充填した錘袋を載置することにより支柱支持枠全体を地面に固定する構成であり、さらに支柱の中間部分に設けられた支柱固定環の本体に穿設された固定索用孔に固着された支柱固定索の端部に液体あるいは粉体を充填した錘袋を着脱自在に固着することにより支柱の固定状態をさらに安定させる構成であり、支柱支持枠の支持板に載置された錘袋及び支柱固定索の端部に着脱自在に固着された錘袋は充填された液体あるいは粉体を排出した状態で、収納ケースの限られたスペースに収容できるように全体が薄い平面状に折畳めるように構成されていることを特徴とする屋外用鯉のぼりセット。
【考案の効果】
【００１２】
本考案の屋外用鯉のぼりセットは、支柱が地面に埋設されることなく支柱支持枠に固着される構成で、支柱支持枠は支柱が固着される垂直の主枠と主枠を斜向して支える補助枠と主枠と補助枠の開度を固定する地面に載置される支持板を有しており、主枠と支持板が直角を成すことによって主枠と補助枠と支持板が直角三角形状のトラスを構成する支柱支持枠により支柱が地面に対して垂直に立設固定されるので、支柱を地面に対して垂直に高く立設でき、しかも、支持板に錘袋を載置したとき、支柱支持枠が垂直なので、支持板のスペースを全面的に広く活用することができるようになった。
【００１３】
すなわち、例えば前記特許文献２の考案のように補助枠ばかりでなく主枠も斜向していると、錘袋の下辺を主枠下部に近接させて載置することができないので、載置できる錘袋のサイズは支持板の広さに比較して小さいものとなってしまうが、本考案の屋外用鯉のぼりセットにおいては主枠が垂直に立設されているので、錘袋の下辺を主枠下部にぎりぎりまで近接させることができ、その分錘袋のサイズを大きくすることが可能である。屋外用鯉のぼりにおいては支柱がかなりの高さとなるため、錘袋はできる限り大きくしたいが、支持板は収納のことを考えるとできる限りコンパクトにしたい。したがって、支持板の面積を最大限に有効活用できる本考案の支柱支持枠の構成は、屋外用鯉のぼりセットにおいては極めて大きな効果をもたらすものである。
【００１４】
また、本考案の屋外用鯉のぼりセットは、支柱支持枠の支持板に液体あるいは粉体を充填した錘袋を載置することにより支柱支持枠全体を地面に固定する構成であり、支柱を地面に埋設するための穴を掘る必要がなく、また、支柱の中間部分に設けられた支柱固定環の本体に穿設された固定索用孔に固着された支柱固定索の端部に液体あるいは粉体を充填した錘袋を着脱自在に固着することにより支柱の固定状態をさらに安定させる構成なので、支柱固定索の端部を杭等で固定する場合のように地面にそのための穴を掘る必要もない。したがって、本考案の屋外用鯉のぼりセットは、支柱を建てるための穴を掘ることのできる地面や補助のワイヤーやロープ等の杭を固定するための穴を掘ることのできる地面が確保できない敷地においても無理なく安定的に支柱を立てることが可能である。
【００１５】
また本考案の屋外用鯉のぼりセットは、固定索用孔が支柱固定環の本体に穿設されているので、支柱とワイヤーやロープ等の固定索の連結部分が強固な構造となっており、変形や破断の心配がない。
【００１６】
またさらに本考案の屋外用鯉のぼりセットは、支柱支持枠の支持板に載置された錘袋及び支柱固定索の端部に着脱自在に固着された錘袋は充填された液体あるいは粉体を排出した状態で平面状に折畳めるように構成されているので、使用後の収納の際にも狭小な収容ケースへコンパクトに収容可能である。
【図面の簡単な説明】
【００１７】
【図１】本考案の実施例１の屋外用鯉のぼりセットの外観斜視図である。
【図２】（ａ）本考案の実施例１の屋外用鯉のぼりセットの支柱支持枠の外観斜視図である。（ｂ）本考案の実施例１の屋外用鯉のぼりセットの支柱支持枠の別の方向から見た外観斜視図である。（ｃ）本考案の実施例１の屋外用鯉のぼりセットの支柱支持枠の支持板を下方から見た外観斜視図である。
【図３】本考案の実施例１の屋外用鯉のぼりセットの一部を省略した右側面図である。
【図４】（ａ）本考案の実施例１の屋外用鯉のぼりセットの一部を省略した平面図である。（ｂ）図４ａの要部の拡大図である。
【図５】（ａ）本考案の実施例１の屋外用鯉のぼりセットの支柱と支柱固定環の組付構成を説明する説明図である。（ｂ）本考案の実施例１の屋外用鯉のぼりセットの支柱の一部と支柱固定環の縦断面図である。
【図６】（ａ）本考案の実施例１の屋外用鯉のぼりセットの錘袋の一つの外観斜視図である。（ｂ）本考案の実施例１の屋外用鯉のぼりセットの錘袋の一つの正面図である。    （ｃ）本考案の実施例１の屋外用鯉のぼりセットの錘袋の一つの右側面図である。
【図７】（ａ）本考案の実施例１の屋外用鯉のぼりセットの錘袋の一つの注入口部分の縦断面構成を説明する説明図である。（ｂ）本考案の実施例１の屋外用鯉のぼりセットの錘袋の一つの折り畳み方法を説明する説明図である。（ｃ）本考案の実施例１の屋外用鯉のぼりセットの錘袋の一つの折り畳み方法を説明する説明図である。（ｄ）本考案の実施例１の屋外用鯉のぼりセットの錘袋の一つの折り畳み方法を説明する説明図である。（ｅ）本考案の実施例１の屋外用鯉のぼりセットの錘袋の一つの折り畳み方法を説明する説明図である。
【図８】本考案の実施例１の屋外用鯉のぼりセットの錘袋の一つの注入口部分の縦断面構成を説明する説明図である。
【考案を実施するための形態】
【００１８】
本考案を実施するための形態を、図面を参照しながら詳細に説明する。
【実施例１】
【００１９】
＜実施例１の構成＞
本考案の実施例１の屋外用鯉のぼりセットＣは、短いパイプを連結させた支柱１、支柱１を支持するための支柱支持枠２、支柱１の中間部に固定されて支柱１を固定するための支柱固定環３、支柱支持枠２に載置される錘袋４１、支柱固定環３に支柱固定索であるロープＲ２で連結される錘袋４２、支柱固定環３に支柱固定索であるロープＲ３で連結される錘袋４３、支柱固定環３に支柱固定索であるロープＲ４で連結される錘袋４４、支柱１に連結されて鯉のぼり５１、５２、５３と吹流し５４が繋止されるロープＲ１、支柱１の先端部に装着される矢車６１と籠玉６２から構成されている。なお、ロープはワイヤー等に代えても無論問題ない。
【００２０】
支柱１が地面Ｇに埋設されることなく支柱支持枠２に固着される構成で、支柱支持枠２は支柱１が固着される垂直の主枠２１と主枠２１を斜向して支える補助枠２２と主枠２１と補助枠２２の開度を固定する地面Ｇに載置される支持板２３を有しており、主枠２１と支持板２２が直角を成すことによって主枠２１と補助枠２２と支持板２３が直角三角形状のトラスを構成する支柱支持枠２により支柱１が地面に対して垂直に立設固定され、支柱支持枠２の支持板２３に液体あるいは粉体を充填した錘袋４１を載置することにより支柱支持枠２全体を地面に固定する構成である。
【００２１】
さらに支柱２の中間部分に設けられた支柱固定環３の本体３０に穿設された固定索用孔３２、３３、３４に固着された支柱固定索Ｒ２、Ｒ３、Ｒ４の端部に液体あるいは粉体を充填した錘袋４２、４３、４４を固着することにより支柱１の固定状態をさらに安定させる構成であり、支柱支持枠２の支持板２３に載置された錘袋４１及び支柱固定索Ｒ２、Ｒ３、Ｒ４の端部に固着された錘袋４２、４３、４４は充填された液体あるいは粉体を排出した状態で、収納ケース（図示せず）の限られたスペースに収容できるように全体が薄い平面状に折畳めるように構成されている。
【００２２】
以下、図１、図５ａによって支柱１の構成を詳細に説明する。支柱１は、略同じ長さの円筒形状のパイプ１１、１２、１３、１４、１５から構成されている。パイプ１１が一番直径が太く、パイプ１２はパイプ１１内に挿嵌される直径、パイプ１３はパイプ１２内に挿嵌される直径、パイプ１４はパイプ１３内に挿嵌される直径、パイプ１５はパイプ１４内に挿嵌される直径を夫々有している。
【００２３】
図５ｂにパイプ１２とパイプ１３の連結方法を示す。パイプ１３の下端部はパイプ１２の上端部に挿嵌され、パイプ１２の円孔１２ａ、１２ｂ、パイプ１３の円孔１３ａ，１３ｂにボルトナットＢＴが挿通されてパイプ１２とパイプ１３を締結している。パイプ１１とパイプ１２、パイプ１３とパイプ１４、パイプ１４とパイプ１５も同様の方法にて連結され、パイプ１１、１２、１３、１４、１５は一体として、図１に見るように支柱１を形成している。
【００２４】
次に、図２にて支柱支持枠２の構成を説明する。支柱支持枠２は、図２ａ、図２ｂに見るように、主枠２１、補助枠２２、支持板２３、連結体２４から構成されている。主枠２１と補助枠２２は金属製の丸パイプを上部がすぼめられたＵ字状に曲げたものであり、主枠２１は垂直に立設して用いられ、補助枠２２は斜向させて用いられる。
【００２５】
また、支持板２３は長方形状の金属板の本体２３１の四周にリブ２３２、２３３、２３４、２３５を本体２３１と一体として垂設したもので、リブ２３３には正面側が円弧状の切欠部２３３ａが設けられ、切欠部２３３ａは本体２３１にまで及んでいる。また、リブ２３４の正面近傍には上部が円弧状の切欠部２３４ａが、背面近傍には上部が円弧状の切欠部２３４ｂが設けられ、リブ２３５の正面近傍には上部が円弧状の切欠部２３５ａが、背面近傍には上部が円弧状の切欠部２３５ｂが設けられている。
【００２６】
主枠２１と補助枠２２、及び支持板２３は全体として直角三角形状のトラスをなすように組み付けられている。すなわち、主枠２１は直線状の下辺２１１の左端部が支持板２３のリブ２３４の切欠部２３４ｂに嵌設され、下辺２１１の右端部が支持板２３のリブ２３５の切欠部２３５ｂに嵌設されており、補助枠２２は直線状の下辺２２１の左端部が支持板２３のリブ２３４の切欠部２３４ａに嵌設され、下辺２２１の右端部が支持板２３のリブ２３５の切欠部２３５ａに嵌設されており、補助枠２２の直線状の左辺２２２の上端部は主枠２１の直線状の左辺２１２の上部に連結板２５１を介して連結され、補助枠２２の直線状の右辺２２３の上端部は主枠２１の直線状の左辺２１３の上部に連結板２５２を介して連結され、主枠２１、補助枠２２、支持板２３の全体が直角三角形状のトラスをなす。
【００２７】
連結板２５１と主枠２１の左辺２１２はボルト２５１ａとボルト２５１ｂにより固着されている。連結板２５１と補助枠２２の左辺２２２の上端部はボルト２５１ｃにより回動自在に連結されている。連結板２５２と主枠２１の右辺２１３はボルト２５２ａとボルト２５２ｂにより固着されている。連結板２５２と補助枠２２の右辺２２３の上端部はボルト２５２ｃにより回動自在に連結されている。したがって、図２ｂに示すように、補助枠２２をボルト２５１ｃ、２５２ｃを枢軸としてα方向に回動させれば、補助枠２２を主枠２１に重畳させ支柱支持枠２全体を折畳むことが可能である。当然この場合には支持板２３は取り外しておく。また、折畳んだ状態から補助枠２２をボルト２５１ｃ、２５２ｃを枢軸としてβ方向に回動させれば、図２ａ、図２ｂに示す展開状態となり、これに支持板２３を装着すれば直角三角形状トラスが形成されて安定状態となる。
【００２８】
連結体２４は、図２ａ、図２ｂに見るように、金属板からなり台形状の本体２４１の両端を丸めてパイプ部２４３、２４４とし、上端には本体２４１と一体に長方形状の上板２４２が前方に突設されている。また、本体２４１の背面には金属線材をＵ字状に曲げたＵ字枠２４５が固着されている。パイプ部２４３には主枠２１の左辺２１２の上端部が嵌入固着され、パイプ部２４４には主枠２１の右辺２１３上端部が嵌入固着され、全体で、主枠２１の上部を固定している。また、Ｕ字枠２４５には支柱１のパイプ１１が挿通固定される。
【００２９】
支柱固定環３は図５ａに見るように本体３０が金属製の円板で、中心に円形の中心孔３１が穿設され、周辺部に均等の間隔で円形の固定索用孔３２、３３、３４が穿設されている。中心孔３１の直径はパイプ１３の直径よりやや大であり、固定索用孔３２、３３、３４は同一直径で、その直径は中心孔３１の半分以下である。固定索用孔３２にはロープＲ２の端部が、固定索用孔３３にはロープＲ３の端部が、固定索用孔３４にはロープＲ４の端部が、夫々緊結される。
【００３０】
錘袋４１は、図１、図６ａに見るように、略直方体状で、軟質合成樹脂製の膜体にて形成されており、上面４１３に注入口Ｔが設けられている。４１４は下面、４１１は正面、４１２は背面、４１５は左側面、４１６は右側面である。注入口Ｔは図７ａに見るように、上部にネジ山が設けられた円筒形状のパイプＴ１の下部にＴ３、Ｔ４、Ｔ５の３枚の円板状のフランジがパイプＴ１と一体に突設され、フランジＴ３とフランジＴ４の間は溝Ｔ６に、フランジＴ４とフランジＴ５の間は溝Ｔ７になっており、溝Ｔ７に錘袋４１の本体４０（上面４１３）が挟着されている。本体４０はフランジＴ４、フランジＴ５に一体的に接着され、水密状態が保持されるようになっている。
【００３１】
さらに、パイプＴ１の上部のネジ山が設けられた部分には、内部にネジ溝が設けられたキャップＴ２がパッキンＰを介して螺着されている。また、溝Ｔ６は溝Ｔ７に比べて広く作られており、図８に示すように、錘袋４２、４３、４４にては、この部分にロープＲ２、Ｒ３、Ｒ４の端部が巻回緊結される。
【００３２】
＜実施例１の作用＞
次に、本考案の実施例１の屋外用鯉のぼりセットＣの作用を説明する。実施例１の屋外用鯉のぼりセットＣを組付けるためには、先ず、支柱支持枠２の補助枠２２をボルト２５１ｃ、２５２ｃを枢軸として回動させて主枠２１の下辺２１１と補助枠２２の下辺２２１を適切な間隔に開き、支持板２３のリブ２３４の切欠部２３４ｂとリブ２３５の切欠部２３５ｂを主枠２１の下辺２１１に嵌着固定させ、同時に支持板２３のリブ２３４の切欠部２３４ａとリブ２３５の切欠部２３５ａを補助枠２２の下辺２２１に嵌着固定させ、主枠２１、補助枠２２、支持板２３によって直角三角形状トラスを形成する。
【００３３】
次に、主枠２１の上部に連結体２４を嵌着固定させる。すなわち、連結体２４のパイプ部２４３に主枠２１の左辺２１２の上端部を嵌着固定すると同時にパイプ部２４４に主枠２１の右辺２１３の上端部を嵌着固定させることによって主枠２１の上部に連結体２４を嵌着固定させる。これにて支柱支持枠２の組付構成は完了する。
【００３４】
次に、支柱１を組み立てる。図５ａに見るように、パイプ１１の内部に収容されていたパイプ１２を引き出してパイプ１２の下端部とパイプ１１の上端部をボルトナットＢＴにて連結し、次にパイプ１２の内部に収容されていたパイプ１３を引き出してパイプ１３の下端部とパイプ１２の上端部をボルトナットＢＴにて連結する。
【００３５】
この段階にて支柱１全体の上方より支柱固定環３を支柱１のパイプ１３に挿通する。すなわち、支柱固定環３の中央の中心孔３１に支柱１を挿通する。中心孔３１の直径は、パイプ１３の直径よりやや大となるように作ってあるので、支柱固定環３はパイプ１３に挿通されて降下するが、パイプ１２の上端部にて停止される。この状態を図５ａの仮想線で示している。また、図５ｂも参照されたい。
【００３６】
この段階にて、支柱固定環３の固定索用孔３２にロープＲ２の一端を結び、固定索用孔３３にロープＲ３の一端を結び、固定索用孔３４にロープＲ４の一端を結んでおく。
【００３７】
図５ａにてはパイプ１１にパイプ１２が連結され、パイプ１２にパイプ１３が連結され、パイプ１２の上端部に支柱固定環３が挿通載置されたところまでが表されているが、この後、パイプ１３の内部に収容されていたパイプ１４を引き出し、パイプ１３の上端部とパイプ１４の下端部を連結し、パイプ１４の内部に収容されていたパイプ１５を引き出し、パイプ１４の上端部とパイプ１５の下端部を連結し、さらにパイプ１５の上部に矢車６１と籠玉６２を装着する（図１参照）。
【００３８】
次に、支柱１にロープＲ１を掛け渡し、ロープＲ１に上から順に吹流し５４、鯉のぼり５１、鯉のぼり５２、鯉のぼり５３を連結する。ここまでの準備ができれば、次に支柱１を支柱支持枠２に立設固定する。
【００３９】
支柱１のパイプ１１を支柱支持枠２の連結体２４の本体２４１の背面に固着されているＵ字枠２４５に挿通させ（図２ｂ参照）、パイプ１１の下端部を支持板２３の背面の切欠部２３３ａに嵌めこみ（図２ａ参照）、さらにパイプ１１の下端部と主枠２１の下辺２１１をボルトナットＢＴにて固着させる（図２ｂ参照）。これにて支柱１は支柱支持枠２に垂直に固着される。
【００４０】
次に、支柱支持枠２の支持板２３の上面に内部に水を充填した錘袋４１を載置する。さらに、支柱固定環３の固定索用孔３２に結ばれたロープＲ２の他端に水を充填した錘袋４２を着脱自在に結びつけ、支柱固定環３の固定索用孔３３に結ばれたロープＲ３の他端に水を充填した錘袋４３を着脱自在に結びつけ、支柱固定環３の固定索用孔３４に結ばれたロープＲ４の他端に水を充填した錘袋４４を着脱自在に結びつける（図４ｂ参照）。
【００４１】
この際、錘袋４２、４３、４４は、図４ａに見るように支柱１を中心にした円πの円周上に等間隔に配置されるようにする（１２０°間隔）。この状態を右側面から見ると、図３のようになる。これにより屋外用鯉のぼりセットＣの組付けは完了する。
【００４２】
支柱１と鯉のぼり５１、５２、５３、吹流し５４には風向きによりいろいろな方向の力が働くが、支柱１はまずその根元にて支柱支持枠２と錘袋４１によって固定され、さらに支柱１を中心とする円πの円周上に均等に配置された錘袋４２、４３、４４の作用により、いずれの方向に風が吹いても偏ることなく安定した固定状態が保持できる。したがって、屋外用鯉のぼりセットＣは、地面Ｇを掘削できない場所においても安定して屋外用鯉のぼりを建てることができるのである。
【００４３】
次に、屋外用鯉のぼりセットＣの解体について述べる。解体は、基本的には組付けの逆となるので詳細は省略するが、解体の最終段階となる錘袋４１〜４４の折畳み方法を、錘袋４１を代表として説明する。
【００４４】
図７ｂに示すのは、収容されていた水をすべて排出させた空の錘袋４１である。この空の錘袋４１の正面４１１の下辺４１１ａに力ｆａを加え、左側面４１５の対角線Ｌａと右側面４１６の対角線Ｌｂを山折線として下辺４１１ａが背面４１２の上辺４１２ａに接するまで折り込むと、図７ｃに示す状態となる。この際、下面４１４は背面４１２に当接することになる。また、正面４１１は上面４１３に当接することになる。
【００４５】
次に、図７ｄに示すように、半分に折られた左側面４１５の中央線Ｌｃと半分に折られた右側面４１６の中央線Ｌｄを谷折線としてここに力ｆｂと力ｆｃを加え、重ねられた状態の下面４１４と背面４１２を上方に持ち上げると（力ｆｄ）、全体は完全に折畳まれて図７ｅに示す状態となる。このような状態になれば、注入口Ｔ以外の部分は平面状態となるので、収容が非常に楽である。錘袋４２、４３、４４もすべてこの方法にて折畳まれるものである。
【００４６】
以上要するに、本考案の成立に最も重要な構成要件は、支柱を支持する支柱支持枠の構成をその主枠と補助枠と支持板が直角三角形状のトラスとなるように構成した点である。したがって、支柱を地面に対して垂直に、高く立設でき、しかも支持板のスペースを最大限に有効に活用することができた。そしてさらに支柱固定環の本体に緊結固着された支柱固定索の端部に液体又は粉体を充填した錘袋を着脱自在に緊結固着し、該錘袋の充填物を排出した際、平面状に折畳み可能として狭小な収容ケースへ収容の際の利便性を活かすようにした点である。
【００４７】
支柱固定環の本体に緊結固着された支柱固定索の端部に液体又は粉体を充填した錘袋を固着する方法としては、実施例１には緊結固着の方法を示したが、これ以外にも、例えば錘袋の方に予め環体（図示せず）を固着しておき、ロープ等の固定索の端部にフック（図示せず）を固着しておき、該フックをワンタッチで環体に繋着する等の方法が考えられる。このような方法を採れば、緊結固着よりはるかに簡便に固定索を錘袋に着脱自在に固着することが可能となる。本考案の解決手段にては、このような各種の方法を排除するものではない。
【産業上の利用可能性】
【００４８】
本考案の屋外用鯉のぼりセットは、近年増加傾向にある、地面を掘れない庭を持つ家庭や施設において、さらには屋上を利用する建物において、屋外に鯉のぼりを建てることができる極めて簡便でありながら本格的な屋外用鯉のぼりセットを提供するものであり、時代の要請に符号した合理的な考案であり、収容にも場所を取らないという特徴を有している。したがって、産業上の利用可能性はきわめて大きなものがあると確信する。
【符号の説明】
【００４９】
１        支柱
１１      パイプ
１２      パイプ
１２ａ    円孔
１２ｂ    円孔
１３      パイプ
１３ａ    円孔
１３ｂ    円孔
１４      パイプ
１５      パイプ
２        支柱支持枠
２１      主枠
２１１    下辺
２１２    左辺
２１３    右辺
２２      補助枠
２２１    下辺
２２２    左辺
２２３    右辺
２３      支持板
２３１    本体
２３２    リブ
２３３    リブ
２３３ａ  切欠部
２３４    リブ
２３４ａ  切欠部
２３４ｂ  切欠部
２３５    リブ
２３５ａ  切欠部
２３５ｂ  切欠部
２４      連結体
２４１    本体
２４２    上板
２４３    パイプ部
２４４    パイプ部
２４５    Ｕ字枠
２５１    連結板
２５１ａ  ボルト
２５１ｂ  ボルト
２５１ｃ  ボルト
２５２    連結板
２５２ａ  ボルト
２５２ｂ  ボルト
２５２ｃ  ボルト
３        支柱固定環
３０      本体
３１      中心孔
３２      固定索用孔
３３      固定索用孔
３４      固定索用孔
４０      本体
４１      錘袋
４１１    正面
４１１ａ  下辺
４１２    背面
４１２ａ  上辺
４１３    上面
４１４    下面
４１５    左側面
４１６    右側面
４２      錘袋
４３      錘袋
４４      錘袋
５１      鯉のぼり
５２      鯉のぼり
５３      鯉のぼり
５４      吹流し
６１      矢車
６２      籠玉
Ｃ        屋外用鯉のぼりセット
ＢＴ      ボルトナット
Ｇ        地面
Ｌａ      対角線
Ｌｂ      対角線
Ｌｃ      対角線
Ｌｄ      対角線
Ｒ１      ロープ
Ｒ２      ロープ
Ｒ３      ロープ
Ｒ４      ロープ
Ｔ        注入口
Ｔ１      パイプ
Ｔ２      キャップ
Ｔ３      フランジ
Ｔ４      フランジ
Ｔ５      フランジ
Ｔ６      溝
Ｔ７      溝
ｆａ      力
ｆｂ      力
ｆｃ      力
ｆｄ      力
α        方向
β        方向
π        円
【図１】
0003165157.tif 000003
【図２】
0003165157.tif 000004
【図３】
0003165157.tif 000005
【図４】
0003165157.tif 000006
【図５】
0003165157.tif 000007
【図６】
0003165157.tif 000008
【図７】
0003165157.tif 000009
【図８】
0003165157.tif 000010